(57)【要約】      （修正有）【課題】プラズマごみ焼却炉とブラウンガスの燃焼により汚染物質の除染を行なうシステムを提供する。【解決手段】汚染物質をブラウンガスの切断機で適切な大きさに切断した後、プラズマごみ焼却炉６とブラウンガスの燃焼により無害化し、汚染物質をセラミックとして排出する。【選択図】図１
2016197090.tif 000002
【特許請求の範囲】
【請求項１】
システム及び設計図書全般
【請求項２】
ブラウンガスによる適切な大きさに切断する切断装置。
【請求項３】
ブラウンガスによる汚染空気の除染。
【請求項４】
活性水素水による汚染物質の軽減
【発明の詳細な説明】
【技術分野】
【０００１】本発明は、ブラウンガスを用いて大気中の放射能、特にセシウムとトリチウムの除染を行うものである。
【背景技術】
【０００２】原子力発電所の事故で広域な配域に放射能が散ってしまった。  特にセシウム５５Ｃｓ１３７とトリチウム（Ｔ）が多く拡散している。  それらの物質が地上に蓄積され、瓦礫などと一緒に除去されている。  その際に汚染物質の集積場所では風や温度差のために下部から上部へ放射能が飛散する。  したがって、放射能集積場近辺の大気は汚染されないか、心配だ。
もちろん、放射能集積場は建屋などで囲わなければならない。  シートで被せておく場合は仮置きの場合なら仕方ないかも知れないが、３０年も放置するわけで、これを仮置きとは言えない。  日本の技術レベルではどうなのか知れないが。  また今現在の福島の第２原発の第一〜第四の建屋から放射能は拡散されていないのか心配である。  もっとも、大気汚染防止法では放射能は除外されている。  今までの原発は水質汚濁防止法のみを考えていたので、大気汚染は予想外だったのだろう。  電力会社も通産省も環境省も全員何も考えずにひたすら、言われたことだけしていたのだろう。  政治家は票集めに必死だから、そんなことはどっちでも良いのだろう。  しかし、私は３年しかいなかったのであまり大きなことは言えないが、航空自衛隊の幹部候補生学校で徹底的に教えられたのは、自衛隊は国民の生命と財産を守るのが使命だと。  そこで、東電も政府も面子を考えず、素直になって国民の幸せを願ってほしい。  しょうもないことに面子を出して、我々は一生懸命世界一の技術レベルで復旧していると言っても漫画のようだ。  日本人の恥である。  正直になりなさい。
大気汚染防止法にも放射能を入れなさい。  管理しなさい。  恥ずかしい。
こんなことしていたら、日本はなくなります。
自衛隊に負かしなさい、自衛隊なら災害派遣は得意中の得意である。
自衛隊のＯＢもいるでよう！
福島県も東電も東北電力も、何なら東北全域の都市計画を自衛隊及び自衛隊ＯＢの会（隊友会、つばさ会等）に委託した方が国民が喜ぶと思う。  実績がある。  大体シビリアンや官僚はインテリが多いからごまかしがうまい。  自衛隊は海外派遣を得意としているが、国内ならなお、スムーズに復旧ができる。  自衛隊が発注している企業は最も優秀で信頼ができる。  土木から宇宙まである。バラエティに富んでいる。
私は隊友会とつばさ会に所属している。  また、一級建築士で設備設計  一級建築士、建築積算士、水質第２種公害防止管理者、一級管工事施工管理技士、空調衛生学会の設備士、危険物第４類、消防設備士第一類〜第５類を持っている。  今の社会情勢は大隊を組んで進む組織ではない、今だ東電は大組織で動いている。役に立たない。  今はゲリラ戦の組織体制にしないとだめ。  これでも今の組織では遅れている。  今は５〜６名でコマンド＆スタッフと言って５〜６名で、助け合い精神で任務遂行していく方式が良い。
【先行技術文献】
【特許文献】
【０００３】  放射能の除染はいろいろあるが、放射能を無害にする方法は現在確立された方策はない。  珪藻土などで吸着させる方法やアルプスなどでどこかに吸着させる方法が取られているがこれも最終的な解決方法ではない。
マルチアークでプラズマ処理ができれば一番良いがまだ確立していない。
もう一つの方法はユル・ブラウン博士の発明したブラウンガスを利用することである。  このガスはインカ時代にすでに使われていて、石を切っていた形跡がある。  大変理解しがたいガスである。
今回はこのガスを使って放射能を無害化する方法を考案して、汚染物質集積場の計画を立案する。  すなわち、クリーンルームと一般ルームにゾーニングして、汚染物質を無害化しながらセラミックを製造して、さらに排熱で発電して売電する。  売電した利益でこの地域の発展に寄与する。
また、セラミックもこれからの材料と言われながらなかなか利用されてこなかった。  このセラミックで一変に変わるだろう。  遠赤外線効果の素晴らしさを世間は知るだろう。
【発明の概要】
【発明が解決しようとする課題】
【０００４】除染物質は土壌やごみや汚染された衣服に汚染されたあらゆる物品をまとめて除染したものを除染物質と言っていると考えられる。
これをいちいち分類して土、繊維、ビン、缶などに分けることはできない。  これをやろうとすると気が狂う。  そうすると、考えられることは１つしかない。  まとめて除染するには、高温で物質を昇華や溶融時点まで燃焼してプラズマの状態で電子や陽子を移動させれば不安定な物質がひょっとして安定した物質になるのではないかと考える。
例えば、放射性物質セシウム５５Ｃｓ１３７が５６Ｃｓ１３７になれば、もうこれは放射性物質ではなくバリウムです。  トリチウムの場合も同じで重水素と一緒にブラウンガスで燃焼すると最終的に無害化できる。  エネルギーが発生するがそれをうまく処理すれば発電も可能である。  次に問題なのは高レベル放射能ストロンチウム９０Ｓｒなどであるが、これは結論を先に言うと水中や化合物中のイオン（Ｓｒ２＋）として存在する。
と言うことで、発明が解決しようとする課題は、福島県に集積された汚染物質（不安定な物質を含む物質、物品等）を無害な安定した物質、物品にすることである。  さらによくどしく、処理中に発生する副産物（セラミック）や発電までもやろうとするのである。
【課題を解決するための手段】
【０００５】“発明が解決しようとする課題”に書いたように、ストロンチウムなどが水中や化合物中のイオンとして存在するのでこれが一番ネックになる。
これを対象に処理しなければ除染の意味がない。
したがって、集積されて来た除染物質すべてを溶融、昇華して（昇華しないものは別として、これはこれで集積してそれこそどこかに埋める。）
貴重な物質は安定した状態にして集積して再利用する。  土質類はセラミックとして集積する。  処理途中では発電をして売電する。
このようにすれば、良いとこずくめである。  うまいこと行くかは分からないので、まず最初にパイロットプラントで確かめてから、大丈夫と判断できれば本格的に実施すれば良い。
パイロットプラントをどのようにするか、そして確実に不安定物質を安定物質になったことを証明できるかである。
それには、トリチウム３Ｔを重水素２Ｄと混合してブラウンガスで燃焼して蒸発、昇華を繰り返して確認する方法をとる。  これだと、ストロンチウムのイオンも除染できると考えられる。
パイロットプラントは約１０，０００ｍ２の土地に下記に記載の施設を建設して実験を行う。  最初からうまくいかないかもしれないが、改造、改善しながら目的達成していく。  これがうまくいくと、このパイロットプラントを増やせば処理能力が大きくなるので十分集積された量の汚染物質を３０年以内に処理できる。  問題はブラウンガスの製造能力である。  これは、各メーカー（（株）ジパングのゼットガスなどに確認が必要。）と相談しなければならない。  なぜなら、このガスが主役である。  これがなければお手上げである。
まずは、汚染搬入物質の大きさを統一する必要がある。  鋼材や骨材や石材の大きさをブラウンガスの切断機で５〜８ｃｍ角位に切り落とす。
（新たにブラウンガス利用の切断装置を開発する。）ここまでは前処理とする。  なぜブラウンガスかと言うとマルチアークと同様に超高温を出せるので、このガスを利用する。
それでは、下記に各施設を記載して順番に説明していく。
（イ）一番先に、やはり汚染物質集積場（１）を約５００ｍ２の土地に半径６ｍの円筒で高さ３０ｍ位のサイロ（コンクリート製でも良い、鋼板性もある。）９基を設け、バケットコンベアー等（２）で汚染物質を搬入する。  その後、活性水素水あるいは（水素水＋トルマリン水）を散布する。
（ロ）汚染物質集積場のサイロ（１）の下部のゲートからコンベアーでアーク・プラズマごみ焼却炉（３）に送る。  ここは、ブラウンガス利用の焼却炉でも良いが実績のあるアーク・プラズマごみ焼却炉を利用する。
（ハ）アーク・プラズマごみ焼却炉では最終的には無公害の硬いセラミックができる。  また、排熱が出るので発電施設も設置する。
（ニ）問題は大気の汚染をどうするかである。そこで、約１０，０００ｍ２の土地を各施設ごとに区切り、区画ごとの空気をブラウンガスで除染する。
クリーンルーム室を設け、自動で放射能が規定値以下になったら大気に放出するようにシステムを組む。  この時に使用する放射能除染装置（新規に開発する、私が既に発明学会に提案している。）を開発する。
（ホ）廃炉ではないのでここまでであるが、廃炉の場合は高濃度汚染物質（燃料棒や炉心などの汚染された金属類）の処理が加算される。
したがって、今回は蒸留塔などの昇華設備はない。
【発明の効果】
【０００６】（イ）集積場の汚染土の除去。
（ロ）集積場付近の大気の汚染を除去する。
（ハ）セラミックができるので、海の漁礁作りができる。  現在の多くの海中工事はコンクリートを使用しているが、これはあまり良くない。
魚に好かれる遠赤外線等の出るセラミックが良い。
（ニ）廃炉ではないのでここまでである。  廃炉の場合はひょっとして貴重なレアアースとか希少金属が取り出せるかも知れない。
【図面の簡単な説明】
【０００７】
【図１】  本発明のシステム図である。
【発明を実施するための形態】
【０００８】ブラウンガスでセシウム５５Ｃｓ１３７をバリウム５６Ｃｓ１３７に変換する過程を記してから構造を書く。
プラズマ・ごみ焼却炉
２Ｈ２Ｏを電気分解（エネルギーα）→２Ｈ２＋Ｏ２
→２（ＨｅＨ）２＋Ｏ２→（燃焼）２Ｈ２Ｏ＋（放出エネルギーβ）＋Ｈｅ
→２（ＨｅＨ）２Ｏ→２（Ｈｅ＋電子ｅ−＋Ｈ＋）２Ｏ
→２Ｈｅ２＋２ｅ２−＋２Ｈ２＋＋Ｏ２→セシウム５５Ｃｓ１３７→
２Ｈ２Ｏ＋２Ｈｅ２＋セシウム５６Ｃｓ１３７＋（放出エネルギーβ）
ブラウンガスで大気中のトリチウムを除去
３Ｔ（トリチウム）＋２Ｄ（重水素）＋ブラウンガス２Ｈ２＋Ｏ２
→２Ｈ２Ｏ＋４Ｈｅ＋陽子ｎ
→２Ｈ２Ｏ＋２Ｈ２＋陽子ｎ＋エネルギー
したがって、トリチウムが除去されている。
【構造】
【０００９】プラズマ・ごみ焼却内でセシウムがバリウムに変換している。
室内の大気中のトリチウムがブラウンガスの燃焼で除去されている。
【本発明を使用するときは以下の手順で行う】
【００１０】まず最初に行うことは、作業の効率を考え処理材を扱い安くする大きさにカットすることである。  この場合は燃焼の温度を非常に高くできるので、ほとんどの物は溶融または昇華してしまうので、材料の分別は必要ない。  ブラウンガスは大変高温になるので、金属などの切断に適している。  また石類でも切断できる。
これらの汚染物質の中にはセシウムだけではなく、ウラン、ジルコニウム、モリブデンなどの原子を均一に含む合金、ガス状の球体があることも分かっているので、非常に注意が必要である。
この作業は自動化しないといけないのでロボットの研究も必要になる。
パイロットプラントの処理手順を記載すると次のようになる。
（イ）  汚染物質集積場（１）に汚染ごみを仮置きする。
（ロ）  コンベアー（２）で処理材カット場（３）に送る。（自動処理）
（ハ）  処理材カット場（３）からバケットコンベアー（４）で汚染物をサイロに入れる。  サイロ（５）は９基あるがローテーションができるようにコンベアーを組み合わせておく。
（ニ）  汚染物がサイロ（５）に入れられると、すぐに活性水素水（私が現在特許出願中）（７）を注入する。
（ホ）  一ケ所のサイロの下部からコンベアーでアーク・プラズマごみ焼却炉（６）に送られる。  （自動処理）
（ヘ）  残りのサイロに入っている汚染物質に活性水素水（７）を散布しておく。
（ト）  アーク・プラズマごみ焼却炉（６）では、セラミック製造と排熱利用で発電する。電気は売電して地域の発展に寄与する。
（チ）  各施設は建屋で囲い、クリーンルームと一般ルームに分ける。
（リ）  中央監視室を一棟独立して設け、ここですべてのコントロールを行う。ここはクリーンルームとする。  また、各施設でもクリーンルームと一般ルームに分けておく。その施設のための作業はこのクリーンルームで行う。
（ヌ）セラミック保管場所からコンベアー（７）で輸送車にのせる。
（ル）このパイロットプラントが評価されたなら、あとは期限に間に合うようにプラントを増やせばよいことになる。
【符号の説明】
【００１１】  １．  汚染物質集積場
２．  コンベアー
３．  処理材カット場
４．  バケットコンベアー
５．  サイロ
６．  プラズマごみ焼却炉
７．  活性水素水
８．  セラミック集積場
７．  除染燃焼器
８．  循環送風機
９．  吸気機
１０．排風機
【図１】
2016197090.tif 000003